(57)【要約】【課題】停電時に電池から電源供給を受けて動作する監視装置において、電源供給を受けて起動した際に、監視条件を再設定することなく監視動作を開始できるようにする。【解決手段】監視装置２においては、監視回路１０が、不揮発性メモリ３０に記憶された監視条件に従い、伝送信号の停波、商用電源の停電等を監視し、これらの異常を検出すると外部のセンタ装置に通知する。監視回路１０は、動作時に停電検出回路１６にて商用電源の停電が検出されると、不揮発性メモリ３０内の停電フラグをセットし、商用電源が停電から復帰すると、停電フラグをリセットする。また、電源供給を受けて起動したときに停電フラグがセットされていれば、停電フラグをリセットすると共に、不揮発性メモリ３０に記憶された監視条件を読み込み、監視動作を開始する。【選択図】図１
2015146519.tif 000002
【特許請求の範囲】
【請求項１】
外部から設定された監視条件を記憶する不揮発性メモリからなる監視条件記憶手段を備え、該監視条件記憶手段に記憶された監視条件に従い所定の監視対象を監視し、該監視対象が異常であれば、その旨を、通信回線を介してセンタ装置に通知する監視手段と、
商用電源から電源供給を受けて前記監視手段に電源供給を行う電源回路と、
前記商用電源の停電時に、前記電源回路に代わって前記監視手段に電源供給を行う電池と、
前記商用電源の停電を検出する停電検出手段と、
を備え、
前記監視手段は、
前記停電検出手段にて前記商用電源の停電が検出されると、その旨を不揮発性メモリからなる停電記憶手段に記憶し、
前記電源供給を受けて起動したときに、前記停電記憶手段に前記商用電源の停電が記憶されている場合には、前記監視条件記憶手段に記憶された監視条件に基づく監視を開始すると共に、前記停電記憶手段から前記商用電源の停電の記憶を消去し、
前記電源供給を受けて起動したときに、前記停電記憶手段に前記商用電源の停電が記憶されていない場合には、前記監視条件が新たに設定されてから、該監視条件に基づく監視を開始する、
ことを特徴とする監視装置。
【請求項２】
当該監視装置は、ＣＡＴＶシステムの伝送線に接続されており、
前記監視手段は、少なくとも当該伝送線を流れる伝送信号及び前記商用電源を前記監視対象として監視し、前記伝送信号が停波したとき、若しくは、前記商用電源が停電したときに、前記監視対象に異常が発生したと判断して、当該監視結果を前記センタ装置に通知することを特徴とする請求項１に記載の監視装置。
【請求項３】
前記電池の残容量を検出する電池容量検出手段を備え、
前記監視手段は、前記監視対象の異常に加えて、前記電池容量検出手段にて検出された前記電池の残容量が低下したときにも、その旨を、前記通信回線を介してセンタ装置に通知することを特徴とする請求項１又は請求項２に記載の監視装置。
【発明の詳細な説明】
【技術分野】
【０００１】
本発明は、所定の監視対象を監視し、監視対象の異常時には、その旨を、通信回線を介して外部のセンタ装置に通知する監視装置に関する。
【背景技術】
【０００２】
従来、商用電源の停電等、監視対象となる設備の状態を監視し、異常を検出すると、その旨を、通信回線を介してセンタ装置に通知するように構成された監視装置が知られている（例えば、特許文献１参照）。
【０００３】
また、この種の監視装置としては、ＣＡＴＶシステムにおいて、伝送対象となるテレビ放送信号の信号レベルを監視し、その信号レベルが低下若しくは上昇すると、その旨をセンタ装置に通知するように構成された、ＣＡＴＶシステム用の監視装置も知られている（例えば、特許文献２参照）。
【先行技術文献】
【特許文献】
【０００４】
【特許文献１】特許第３４８０８８１号公報
【特許文献２】特開平０６−２３７４６０号公報
【発明の概要】
【発明が解決しようとする課題】
【０００５】
上記従来の監視装置には、商用電源の停電時にも動作できるように、通常、電池、若しくは、電池を備えた無停電電源装置が、バックアップ用の電源として設けられている。
しかし、商用電源の停電時間が長く、その停電時に、バックアップ用電源を構成する電池が放電すると、監視装置の動作が停止するだけでなく、監視用に設定されている監視条件（例えば、異常判定用の閾値等）が消滅することがある。
【０００６】
この場合、商用電源が停電から復旧して、監視装置が再起動されても、監視装置は初期状態でしか監視を行うことができず、監視対象を正常に監視できるようにするには、管理者が監視条件を再設定しなければならない。
【０００７】
本発明は、こうした問題に鑑みなされたものであり、商用電源の停電時に電池から電源供給を受けて動作する監視装置において、商用電源若しくは電池からの電源供給を受けて起動した際に、監視条件を再設定することなく監視動作を開始できるようにすることを目的とする。
【課題を解決するための手段】
【０００８】
かかる目的を達成するためになされた請求項１に記載の監視装置は、
外部から設定された監視条件を記憶する不揮発性メモリからなる監視条件記憶手段を備え、該監視条件記憶手段に記憶された監視条件に従い所定の監視対象を監視し、該監視対象が異常であれば、その旨を、通信回線を介してセンタ装置に通知する監視手段と、
商用電源から電源供給を受けて前記監視手段に電源供給を行う電源回路と、
前記商用電源の停電時に、前記電源回路に代わって前記監視手段に電源供給を行う電池と、
前記商用電源の停電を検出する停電検出手段と、
を備え、
前記監視手段は、
前記停電検出手段にて前記商用電源の停電が検出されると、その旨を不揮発性メモリからなる停電記憶手段に記憶し、
前記電源供給を受けて起動したときに、前記停電記憶手段に前記商用電源の停電が記憶されている場合には、前記監視条件記憶手段に記憶された監視条件に基づく監視を開始すると共に、前記停電記憶手段から前記商用電源の停電の記憶を消去し、
前記電源供給を受けて起動したときに、前記停電記憶手段に前記商用電源の停電が記憶されていない場合には、前記監視条件が新たに設定されてから、該監視条件に基づく監視を開始する、
ことを特徴とする。
【０００９】
また、請求項２に記載の監視装置は、請求項１に記載の監視装置において、
当該監視装置は、ＣＡＴＶシステムの伝送線に接続されており、
前記監視手段は、少なくとも当該伝送線を流れる伝送信号及び前記商用電源を前記監視対象として監視し、前記伝送信号が停波したとき、若しくは、前記商用電源が停電したときに、前記監視対象に異常が発生したと判断して、当該監視結果を前記センタ装置に通知することを特徴とする。
【００１０】
また、請求項３に記載の監視装置は、請求項１又は請求項２に記載の監視装置において、
前記電池の残容量を検出する電池容量検出手段を備え、
前記監視手段は、前記監視対象の異常に加えて、前記電池容量検出手段にて検出された前記電池の残容量が低下したときにも、その旨を、前記通信回線を介してセンタ装置に通知することを特徴とする。
【発明の効果】
【００１１】
請求項１に記載の監視装置は、商用電源から電源供給を受けて監視手段に電源供給を行う電源回路と、商用電源の停電時に監視手段に電源供給を行う電池と、商用電源の停電を検出する停電検出手段と、監視手段と、を備える。
【００１２】
そして、監視手段は、電源回路若しくは電池から電源供給を受けて動作しているときには、監視条件記憶手段に記憶された監視条件に従い監視対象を監視し、監視対象が異常であれば、その旨を、通信回線を介してセンタ装置に通知する。
【００１３】
また、監視手段は、停電検出手段にて商用電源の停電が検出されると、その旨を不揮発性メモリからなる停電記憶手段に記憶し、電源回路若しくは電池から電源供給を受けて起動したときに、停電記憶手段に商用電源の停電が記憶されている場合には、監視条件記憶手段に記憶された監視条件に基づく監視を開始すると共に、停電記憶手段から商用電源の停電の記憶を消去する。
【００１４】
また、監視手段は、電源回路若しくは電池から電源供給を受けて起動したときに、停電記憶手段に商用電源の停電が記憶されていない場合には、監視条件が新たに設定されてから、その設定された監視条件に基づく監視を開始する。
【００１５】
従って、本発明の監視装置によれば、商用電源が停電して、監視手段が停電記憶手段にその旨を記憶した後、電池が放電されて、監視手段が動作を停止し、その後、電源回路又は電池から電源供給を受けることにより監視手段が再起動したときには、監視条件記憶手段に記憶された監視条件に基づき、監視対象の監視が速やかに開始されることになる。
【００１６】
よって、本発明の監視装置によれば、従来のように、監視手段が再起動する度に監視条件を設定する必要がなく、管理者は、監視装置の管理を容易に行うことができる。
ところで、本発明の監視装置によれば、電池が放電された状態で、商用電源が停電した場合には、電源回路からの電源供給が停止されることにより、監視手段が速やかに動作を停止することから、停電記憶手段に商用電源の停電が記憶されない。
【００１７】
このため、この状態で、監視手段が電源回路又は電池から電源供給を受けて再起動したときには、監視条件が新たに設定されるまで、監視手段が、監視を開始することはない。
従って、電池が放電された状態で、落雷などによって商用電源が停電し、その停電時に、監視条件記憶手段を構成する不揮発性メモリに一時的に高電圧が印加されて、監視条件の一部が書き換えられた場合に、監視手段が、その書き換えられた監視条件に従い監視動作を再開することはない。
【００１８】
つまり、電池が放電された状態で商用電源が停電した際には、監視条件記憶手段を構成する不揮発性メモリに印加される電源電圧が不安定となって、監視条件記憶手段に記憶された監視条件の一部が書き換えられることが考えられるが、このような場合には、監視手段が再起動したとしても、監視条件が新たに設定されるまで、監視手段が監視動作を停止する。
【００１９】
よって、本発明の監視装置によれば、監視手段の再起動時に、監視条件記憶手段に記憶された監視条件に従い監視対象の監視を速やかに開始することができるだけでなく、監視条件記憶手段に記憶された監視条件の信頼性が低い場合には、監視手段の監視動作を一時的に停止して、管理者に対し監視条件を再設定させることができる。
【００２０】
また、管理者が監視条件を再設定する際には、監視条件記憶手段に前回設定された監視条件が記憶されているので、管理者は、その監視条件を確認して、問題なければ、その監視条件をそのまま新たな監視条件として設定することができる。
【００２１】
また、監視条件記憶手段に記憶された監視条件の一部が書き換えられていても、監視条件記憶手段から読み出した監視条件の一部を修正することにより、新たな監視条件を設定することができる。
【００２２】
よって、本発明によれば、従来装置に比べて、管理者が監視条件を再設定する際の作業を簡単にすることができる。
次に、請求項２に記載の監視装置は、ＣＡＴＶシステムの伝送線に接続されて、監視手段により、その伝送線を流れる伝送信号及び商用電源を監視することで、伝送信号の停波及び商用電源の停電を検出するためのものである。
【００２３】
従って、請求項２に記載の監視装置によれば、ＣＡＴＶシステムの受信点設備近傍で生じた停波、停電等の異常を、受信点設備から離れたセンタ装置側で監視することができる。
【００２４】
そして、商用電源の停電時に、電池の放電に伴い、監視手段が動作を停止した際には、管理者が監視装置の設置場所まで行って、監視条件を設定し直す必要がないので、本発明の効果をより有効に発揮することができる。
【００２５】
また、請求項３に記載の監視装置には、電池の残容量を検出する電池容量検出手段が備えられている。そして、監視手段は、上述した停波、停電といった監視対象の異常に加えて、電池容量検出手段にて検出された電池の残容量が低下したときにも、その旨を、通信回線を介してセンタ装置に通知する。
【００２６】
このため、管理者は、監視装置からの電池容量の低下の通知に従い、電池交換等を行うことで、商用電源の停電時に電池がバックアップ電源として機能しなくなるのを防止することができ、より信頼性の高い監視装置を提供することができる。
【図面の簡単な説明】
【００２７】
【図１】実施形態の監視装置の構成を表すブロック図である。
【図２】図１の監視回路にて実行される監視処理を表すフローチャートである。
【発明を実施するための形態】
【００２８】
以下に本発明の実施形態を図面と共に説明する。
本実施形態の監視装置２は、例えば、ＣＡＴＶシステムのヘッドエンド近傍の加入者宅に設置されて、ＣＡＴＶシステムの伝送線を介して端末側に流れる伝送信号（多チャンネルのテレビ放送信号等）を取り込み、その停波を監視すると共に、商用電源の停電を監視するためのものである。
【００２９】
このため、本実施形態の監視装置２には、図１に示すように、商用電源から電源供給を受けるための電源プラグ４、及び、ＣＡＴＶシステムの伝送線から伝送信号を取り込むための入力端子６が備えられている。
【００３０】
また、監視装置２には、商用電源の停電、伝送信号の停波、といった異常を検出した際に、監視用のセンタ装置（図示せず）に異常を通知するのに用いられる通信端子８、及び、使用者が監視条件を設定するのに使用される情報端末（パーソナルコンピュータ等）を接続するための接続端子９も設けられている。
【００３１】
監視装置２は、ＣＰＵ、ＲＯＭ、ＲＡＭ等を備えたマイクロコンピュータからなる監視回路１０を中心に構成されており、監視回路１０には、電源回路１２、停電検出回路１６、電圧検出回路１８、停波検出回路２０、電話回線接続回路２２、及び、外部端末接続回路２４が接続されている。
【００３２】
電源回路１２は、電源プラグ４を介して商用電源から供給される電源電圧（例えば交流１００Ｖ）から、監視回路１０等の内部回路を動作させるのに必要な電源電圧（直流一定電圧）を生成するためのものであり、電源回路１２で生成された電源電圧は、ダイオードＤ１を介して監視回路１０に供給される。
【００３３】
なお、監視装置２内には、商用電源の停電時に監視回路１０に電源電圧を供給するための電池１４も備えられており、電池１４からの出力電圧も、ダイオードＤ２を介して監視回路１０に供給される。
【００３４】
ダイオードＤ１、Ｄ２は、それぞれ、カソードが監視回路１０への電源供給ラインに接続されることにより、電源回路１２及び電池１４から監視回路１０へと電源供給できるようにされている。
【００３５】
次に、停電検出回路１６は、電源回路１２からの出力電圧が停電判定電圧以下であるときに、商用電源が停電していることを検出して、その旨を監視回路１０に入力するためのものであり、本発明の停電検出手段に相当する。
【００３６】
また、電圧検出回路１８は、電池１４からの出力電圧（電池電圧）を検出して、その検出電圧を監視回路１０に入力するためのものである。
また、停波検出回路２０は、入力端子６から入力される伝送信号の信号レベルが所定の閾値レベル（例えばノイズ判定レベル）以下であるときに、伝送信号の停波を検出するためのものであり、その検出結果は、監視回路１０に入力される。
【００３７】
また、電話回線接続回路２２は、通信端子８を介して所定の電話回線に接続され、監視回路１０からの指令に基づきセンタ装置を呼び出し、センタ装置と監視回路１０との間の通信を中継するためのものである。
【００３８】
また、外部端末接続回路２４は、接続端子９を介して、外部の情報端末に接続され、その情報端末と監視回路１０との間の通信を中継するためのものである。
このように構成された本実施形態の監視装置２においては、電源回路１２又は電池１４から監視回路１０への電源供給が開始されてから（電源投入後）、電源供給が遮断されて監視回路１０が動作を停止するまでの間、監視回路１０が図２に示す監視処理を繰り返し実行することにより、商用電源の停電、ＣＡＴＶシステムの伝送信号の停波、及び、電池１４の電圧低下を監視し、異常検出時にはその検出結果をセンタ装置に通知する。
【００３９】
以下、監視回路１０にて実行される監視処理を、図２に示すフローチャートに沿って説明する。
なお、監視回路１０には、この監視処理を行うための監視条件（つまり、停波検出回路２０により停波を検出するテレビ放送信号の放送チャンネル若しくは放送周波数、停波検出回路２０による停波判定用の閾値レベル、電池電圧の低下を判定するのに用いられる電圧低下判定電圧、センタ装置を呼び出して通信を行うのに必要な電話番号等の通信用データ、等）を記憶するための不揮発性メモリ３０が設けられている。
【００４０】
そして、以下の説明では、この不揮発性メモリ３０には、外部の情報端末を介して、監視条件が設定（セットアップ）されているものとする。
図２に示すように、監視回路１０は、電源投入に伴い起動すると、Ｓ１１０（Ｓはステップを表す）にて、停電フラグがセット（＝１）されているか否かを判断する。停電フラグは、不揮発性メモリ３０の所定領域に記憶されるものであり、後述の処理により、停電が検出されたときにセット（＝１）され、停電から復旧したときにリセット（＝０）される。
【００４１】
Ｓ１１０にて、停電フラグがセット（＝１）されていると判断された場合には、現在、商用電源が停電して停電フラグがセット（＝１）された後、商用電源が停電から復旧するまでの間に電池電圧が低下して、監視回路１０が一旦動作を停止し、その後、商用電源が停電から復旧した直後であると考えられるので、Ｓ１３０に移行して、停電フラグをリセット（＝０）することにより、停電フラグを初期化し、Ｓ１４０に移行する。
【００４２】
そして、Ｓ１４０では、不揮発性メモリ３０からセットアップデータ（つまり監視条件）を読み込み、その読み込んだ監視条件に基づく監視動作を開始する。
一方、Ｓ１１０にて、停電フラグがリセット（＝０）されていると判断された場合には、前回の停電時に、電池電圧が低下していて、停電フラグをセット（＝１）できなかったものと判断して、Ｓ１２０へ移行する。
【００４３】
そして、Ｓ１２０では、外部の情報端末を介して監視条件を設定するためのセットアップ処理を実行し、このセットアップ処理にて、監視条件が設定されると、その設定された監視条件に基づく監視動作を開始する。
【００４４】
Ｓ１２０又はＳ１４０の処理実行後の監視動作は、Ｓ１５０〜Ｓ３６０の処理を実行することにより、実現される。
すなわち、Ｓ１５０では、停波検出回路２０にて伝送信号の停波が検出されたか否かを判断し、停波が検出されていれば、Ｓ１６０にて停波フラグがリセット（＝０）されているか否かを判断する。
【００４５】
そして、Ｓ１６０にて停波フラグがリセット（＝０）されていると判断されると、Ｓ１７０に移行して、停波フラグをセット（＝１）した後、Ｓ１８０に移行し、電話回線接続回路２２を介して、伝送信号が停波していることをセンタ装置に通知する。
【００４６】
Ｓ１８０にて、伝送信号の停波をセンタ装置に通知した場合、Ｓ１５０にて、伝送信号は停波していないと判断された場合、或いは、Ｓ１６０にて、停波フラグは既にセット（＝１）されていると判断された場合には、Ｓ１９０に移行する。
【００４７】
Ｓ１９０では、停波検出回路２０にて、伝送信号の停波状態からの復旧が検出されたか否かを判断し、伝送信号が停波状態から復旧していれば、Ｓ２２０に移行して、停波フラグはセット（＝１）されているか否か、つまり、現在、伝送信号が停波状態から復旧した直後であるか否か、を判断する。
【００４８】
そして、Ｓ２２０にて、停波フラグがセット（＝１）されていると判断されると、Ｓ２１０にて、停波フラグをリセット（＝０）した後、Ｓ２２０に移行し、電話回線接続回路２２を介して、伝送信号が停波状態から復旧したことをセンタ装置に通知する。
【００４９】
Ｓ２２０にて、伝送信号の停波からの復旧をセンタ装置に通知した場合、Ｓ１９０にて、伝送信号は停波状態から復旧していないと判断された場合、或いは、Ｓ２００にて、停波フラグはセット（＝１）されていないと判断された場合には、Ｓ２３０に移行する。
【００５０】
Ｓ２３０では、停電検出回路１６にて商用電源の停電が検出されたか否かを判断し、停電が検出されていれば、Ｓ２４０にて停電フラグをセット（＝１）した後、Ｓ２５０に移行し、電話回線接続回路２２を介して、商用電源が停電状態にあることをセンタ装置に通知する。
【００５１】
Ｓ２５０にて、商用電源の停電をセンタ装置に通知した場合、或いは、Ｓ２３０にて、商用電源は停電していないと判断された場合、Ｓ２６０に移行し、停電検出回路１６にて商用電源の停電からの復旧が検出されたか否かを判断する。
【００５２】
そして、Ｓ２６０にて、商用電源の停電からの復旧が検出されたと判断されると、Ｓ２７０に移行して、停電フラグをリセット（＝０）し、続くＳ２８０にて、電話回線接続回路２２を介して、商用電源が停電から復旧したことをセンタ装置に通知する。
【００５３】
Ｓ２８０にて、商用電源の停電からの復旧をセンタ装置に通知した場合、或いは、Ｓ２６０にて、停電検出回路１６にて商用電源の停電からの復旧が検出されていないと判断された場合には、Ｓ２９０に移行し、今度は、電圧検出回路１８にて検出された電池電圧が、所定の電圧低下判定電圧よりも低い低電圧になっているか否かを判断する。
【００５４】
そして、電池電圧が低電圧になっていれば、Ｓ３００に移行して、電圧低下フラグはリセット（＝０）されているか否かを判断し、電圧低下フラグがリセット（＝０）されていれば、Ｓ３１０にて、電話回線接続回路２２を介して電池交換を促すメッセージをセンタ装置に通知した後、Ｓ３２０に移行し、電圧低下フラグをセット（＝１）する。
【００５５】
そして、その後は、Ｓ３０にて、電池交換が必要であることを報知するために、監視装置２に設けられた低電圧ＬＥＤ（図示せず）を点灯し、Ｓ１５０に移行する。また、Ｓ３００にて、電圧低下フラグは既にセット（＝１）されていると判断された場合にも、Ｓ１５０に移行する。
【００５６】
次に、Ｓ２９０にて、電池電圧は低電圧ではないと判断された場合には、Ｓ３４０に移行して、電圧低下フラグはリセット（＝０）されているか否かを判断する。そして、電圧低下フラグがリセット（＝０）されていれば、Ｓ１５０に移行し、電圧低下フラグがセット（＝１）されていれば、Ｓ３５０にて、電圧低下フラグをリセット（＝０）し、Ｓ３６０にて、低電圧ＬＥＤを消灯した後、Ｓ１５０に移行する。
【００５７】
以上説明したように、本実施形態の監視装置２においては、監視回路１０が、不揮発性メモリ３０に記憶された監視条件に従い、伝送信号の停波、商用電源の停電、及び電池１４の電圧低下を監視し、これらの異常を検出すると、外部のセンタ装置に電話回線を介して通知する。
【００５８】
また、監視回路１０は、電源回路１２及び電池１４から電源供給を受けて動作するが、動作時に停電検出回路１６にて商用電源の停電が検出されると、不揮発性メモリ３０内の停電フラグをセット（＝１）し、商用電源が停電から復帰すると、停電フラグをリセット（＝０）する。
【００５９】
そして、監視回路１０は、電源供給を受けて起動したときに、停電フラグがセット（＝１）されている場合には、停電フラグをリセット（＝０）すると共に、不揮発性メモリ３０に記憶されたセットアップデータ（つまり監視条件）を読み込み、監視対象となる伝送信号、商用電源、及び電池電圧の監視動作を開始する。
【００６０】
このため、本実施形態の監視装置２においては、商用電源が停電して、不揮発性メモリ３０にその旨が記憶された後、電池１４から監視回路１０へ正常に電源供給できなくなって、監視回路１０が動作を停止し、その後、監視回路１０が電源回路１２又は電池１４からの電源供給を受けて再起動したときには、監視回路１０が、不揮発性メモリ３０に記憶された監視条件に基づき、監視対象の監視動作を速やかに開始することになる。
【００６１】
従って、本実施形態の監視装置２によれば、従来のように、監視装置（回路）が再起動する度に監視条件を設定する必要がなく、管理者は、監視装置２の管理を容易に行うことができる。
【００６２】
また、本実施形態の監視装置２によれば、電池１４が放電された状態で、商用電源が停電した場合には、電源回路１２からの電源供給が停止されることにより、監視回路１０が速やかに動作を停止することから、不揮発性メモリ３０に商用電源の停電が記憶されない。
【００６３】
このため、この状態で、監視回路１０が再起動したときには、Ｓ１２０のセットアップ処理により監視条件が新たに設定されて不揮発性メモリ３０に記憶されるまで、監視回路１０が、監視対象の監視動作を開始することはない。
【００６４】
従って、電池１４が放電された状態で、落雷などによって商用電源が停電し、その停電時に不揮発性メモリ３０に一時的に高電圧が印加されて、監視条件の一部が書き換えられた場合に、監視回路１０が、その書き換えられた監視条件に従い監視動作を再開することはない。
【００６５】
つまり、電池１４が放電された状態で商用電源が停電した際には、不揮発性メモリ３０に印加される電源電圧が不安定となって、監視条件の一部が書き換えられることが考えられるが、このような場合には、監視回路１０が再起動したとしても、不揮発性メモリ３０内の監視条件が更新されるまで、監視回路１０が監視動作を停止する。
【００６６】
よって、本実施形態の監視装置２によれば、監視回路１０の再起動時に不揮発性メモリ３０に記憶された監視条件に従い監視対象の監視を速やかに開始することができるだけでなく、不揮発性メモリ３０に記憶された監視条件の信頼性が低い場合には、管理者に対し監視条件を再設定させることができる。
【００６７】
また、管理者が監視条件を再設定する際には、不揮発性メモリ３０に前回設定された監視条件が記憶されているので、管理者は、外部情報端末を介して、その監視条件を確認し、問題なければ、その監視条件をそのまま新たな監視条件として設定することができる。
【００６８】
また、不揮発性メモリ３０に記憶された監視条件の一部が書き換えられていても、不揮発性メモリ３０から読み出した監視条件の一部を修正することにより、新たな監視条件を設定することができる。
【００６９】
よって、本実施形態の監視装置２によれば、従来装置に比べて、管理者が監視条件を再設定する際の作業を簡単にすることができる。
なお、本実施形態においては、監視回路１０が本発明の監視手段に相当し、監視回路１０内の不揮発性メモリ３０が、本発明の監視条件記憶手段、及び、停電記憶手段として機能する。
【００７０】
以上、本発明の一実施形態について説明したが、本発明は、上記実施形態に限定されるものではなく、本発明の要旨を逸脱しない範囲内にて、種々の態様をとることができる。
例えば、上記実施形態では、ＣＡＴＶシステムの伝送線に接続されて、その伝送線に流れる伝送信号と、商用電源と、電池電圧とを監視する監視装置２について説明したが、本発明は、商用電源から電源供給を受けて、所定の監視対象を監視する監視装置であれば、上記実施形態と同様に適用することができる。
【００７１】
また、上記実施形態の監視装置２には、電池１４が内蔵されており、監視回路１０は、電池１４の電圧低下を検出して、電池交換を促すメッセージをセンタ装置に通知するものとして説明したが、電池１４として、充電可能な二次電池を設け、電源回路１２にて生成された電源電圧にて二次電池を充電するようにすれば、電池交換は不要となり、監視装置２の管理をより簡単にすることができる。
【００７２】
また、上記実施形態では、一つの不揮発性メモリ３０にて監視条件記憶手段、停電記憶手段としての機能が実現されるものとして説明したが、監視条件記憶手段及び停電記憶手段は、それぞれ、専用の不揮発性メモリにて構成してもよい。
【００７３】
また、監視条件記憶手段及び停電記憶手段を構成する不揮発性メモリは、必ずしも監視回路１０に内蔵する必要はなく、監視回路１０（延いては停電停波監視装置２）に対して着脱可能な記憶媒体にて構成してもよい。
【符号の説明】
【００７４】
２…監視装置、４…電源プラグ、６…入力端子、８…通信端子、９…接続端子、１０…監視回路、１２…電源回路、１４…電池、１６…停電検出回路、１８…電圧検出回路、２０…停波検出回路、２２…電話回線接続回路、２４…外部端末接続回路、３０…不揮発性メモリ、Ｄ１，Ｄ２…ダイオード。
【図１】
2015146519.tif 000003
【図２】
2015146519.tif 000004